(57)【要約】本発明は、ワイヤーハーネスコネクタと連結コネクタとの間の差し込み結合部の意図しない開放を防止するためのロックエレメントに関する。  ロックエレメント１は、ワイヤーハーネスコネクタ４の差し込み方向とは反対側に極めて簡単な形式で配置することができ、ここで、ロックエレメント１が最終位置に達するとすぐに、ワイヤーハーネスコネクタ４に設けられた閉鎖エレメント１３の領域をロックするように付加的に作用することを特徴とする。  有利な別の構成では、ロックエレメント１が、付加的に溝付き管ホルダ１７を有しており、該溝付き管ホルダ１７はロックエレメント１に一体的に結合されている。
2006514417.tif 000002
【特許請求の範囲】
【請求項１】
ワイヤーハーネスコネクタと連結コネクタとの間の差し込み結合部の開放を防止するためのロックエレメントにおいて、
ロックエレメント（１）がほぼリング状に形成された本体（２）を有しており、該本体（２）はその周面に配置されたヒンジと閉鎖エレメント（７）とを備えており、閉鎖エレメント（７）はその前組み付け位置で、ワイヤーハーネスコネクタ（４）の、連結コネクタ（１０）への差し込み方向とは反対の側の端部に取り付け可能であって、ここから最終位置にもたらすことができ、ロックエレメント（１）がキノコ状の構成部分（１４）を、リング状に形成された本体（２）の周面から離れる方向で有しており、リング状に形成された本体が、ワイヤーハーネスコネクタ（４）に設けられた閉鎖エレメント（１３）と協働することを特徴とする、ワイヤーハーネスコネクタと連結コネクタとの間の差し込み結合部の開放を防止するためのロックエレメント。
【請求項２】
ヒンジが膜ヒンジとして形成されている、請求項１記載のロックエレメント。
【請求項３】
２つのヒンジが設けられている、請求項１記載のロックエレメント。
【請求項４】
閉鎖エレメント（７）が係止突起（８）を有しており、該係止突起（８）が切欠（９）に係合する、請求項１から３までのいずれか１項記載のロックエレメント。
【請求項５】
ロックエレメント（１）に溝付き管ホルダ（１７）が配置されている、請求項１から４までのいずれか１項記載のロックエレメント。
【請求項６】
溝付き管ホルダ（１７）とロックエレメント（１）とが一体の部分を形成している、請求項５記載のロックエレメント。
【請求項７】
キノコ状の構成部分（１４）が、ロックエレメント（１）の周面の１つのセグメント（２″）に設けられており、ワイヤーハーネスコネクタ（４）と連結コネクタ（１０）との間の差し込み結合部（１１）を開放するための、ワイヤーハーネスコネクタ（４）に設けられた閉鎖エレメント（１３）をロックするように構成されている、請求項１から６までのいずれか１項記載のロックエレメント。
【発明の詳細な説明】
【技術分野】
【０００１】
本発明は、ワイヤーハーネスコネクタと連結コネクタとの間の差し込み結合部の意図しない開放を防止するためのロックエレメントに関する。
【背景技術】
【０００２】
特に極数の少ない差し込み結合部、またラムダゾンデの形の連結コネクタも、１つの連結コネクタに連結されることができる。一つには差し込み結合部を正確に形成することを保証するために、種々異なるロックエレメントが既に公知である。また一つには、一度形成された完全な差し込み結合部を簡単には開放することができないように働くロックエレメントも先行技術により公知である。このようなロックエレメントは、差し込み結合を解除するために、まず破壊しなければならないロックエレメントや、同様に差し込み結合を解除するためにロックエレメントを積極的に取り除かなければならないロックエレメントに分けられる。
【発明の開示】
【発明が解決しようとする課題】
【０００３】
本発明の課題は、解除可能で、簡単に差し込み結合部の一部に取り付け可能であって、この部分を破壊することなく再び取り外すことのできるようなロックエレメントを提供することである。
【課題を解決するための手段】
【０００４】
本発明の核となる思想は、ロックエレメントが、連結コネクタとは反対の側でワイヤーハーネスに取り付け可能であって、簡単に被せ嵌め可能であるように、ロックエレメントを形成することにある。
【０００５】
このために提案された構成では、ロックエレメントがほぼリング状に形成された本体を有しており、該本体はその周面に配置されたヒンジと閉鎖エレメントとを備えており、閉鎖エレメントはその前組み付け位置で、ワイヤーハーネスコネクタの、連結コネクタへの差し込み方向とは反対の側の端部に取り付け可能であって、ここから最終位置にもたらすことができ、ロックエレメントがキノコ状の構成部分を、リング状に形成された本体の周面から離れる方向で有しており、リング状に形成された本体が、ワイヤーハーネスコネクタに設けられた閉鎖エレメントと協働するようにした。
【発明の効果】
【０００６】
本発明の主要な効果は、差し込み結合部の意図しない解除を防止するために、付加的なロックエレメントが極めて簡単に提供されることにある。有利には、ロックエレメントがリング状の構成を有しており、ワイヤーハーネスコネクタ上にクリップ式に被さって固定できるようになっている。
【０００７】
有利な構成では、２つのヒンジが設けられており、このヒンジでは、リング状の構成部材の部分もしくはセグメントがヒンジ軸線を中心として旋回可能である。これにより、ワイヤーハーネスコネクタの一方の端部に極めて簡単に被せ嵌めることができる。ワイヤーハーネスコネクタ上にロックエレメントを固定するために、外方に旋回された両セグメントを一緒に案内し、これらセグメントの各自由端部は閉鎖エレメントを、有利には係止エレメントを有しており、これがロックエレメント全体を連結コネクタの周面に不動に押し付ける。
【０００８】
さらにロックエレメントはキノコ状の構成部分を有しており、これはリング状のロックエレメントの外周面に配置されている。この構成部分は、もっぱらリング状の構成部分の１つのセグメント部分にわたって延びている。このリング状の構成部分は、同様にワイヤーハーネスコネクタ上に配置されている閉鎖エレメントと協働する。この閉鎖エレメントは、連結コネクタとの差し込み結合部をロックするために働く。通常、閉鎖エレメントを下方に押すことにより極めて簡単にこの差し込み結合は解除される。しかしながらこのようなキノコ状の構成部分により、閉鎖エレメントを下方に押すことができず、差し込み結合部の形成後は、差し込み結合部は、リング状のロックエレメントを取り除き、次いでワイヤーハーネスコネクタに設けられた閉鎖エレメントを操作することによってしか解除することができない。ロックエレメント自体が閉鎖機構を有していることにより、取り除くためにロックエレメントを破壊する必要はなく、このようなロックエレメントはさらに使用できる。
【０００９】
ロックエレメントの別の主要な利点は、ロックエレメントの外面に、いわゆる溝付き管ホルダが設けられていることにある。この溝付き管ホルダは、ワイヤーハーネスに通じるラインに相応に保護するために働く。
【００１０】
溝付き管ホルダは、隆起した構成物を周面に有しているように形成されており、これにより、プレス結合及び／又は形状結合によって、溝付き管を対応するように保持できる。
【００１１】
有利には溝付き管ホルダとロックエレメントとは一体に形成されている。
【００１２】
このような一体の構成により、ロックエレメントを予め溝付き管に配置することが可能であり、これにより、溝付き管とロックエレメントとをワイヤーハーネスコネクタに極めて簡単に組み付けることができる。
【００１３】
さらに有利な構成は以下の記載と請求項に記載されている。
【００１４】
実施例の説明
図１及び図２には、本発明によるロックエレメント１の斜視図が前組み付け状態で示されている。ロックエレメント１は、リング状に形成された本体２を有しており、この本体２は３つのセグメント２′，２″，２″′を有している。真ん中のセグメント２″は、図１及び図２には詳しく示されていない方法で直接に、ここに図示されているワイヤーハーネスコネクタ４の基体３に取り付けられている。
【００１５】
図１に示した端部位置に達するために、セグメント部分２′と２″′は、図１に示した旋回矢印５の方向で、この図示した位置に達するまで旋回される。
【００１６】
さらにセグメント２′，２″′の端部６は閉鎖エレメント７を有している。この閉鎖エレメント７は図１に示したこの実施例では、係止突起８から成っており、この係止突起８はロックエレメント１が閉じられた状態で切欠９に係合する。
【００１７】
図３〜図５には、図１及び図２に示したロックエレメント１のロックされた状態が示されている。
【００１８】
特に図３には、ワイヤーハーネスコネクタ４と連結コネクタ１０とが示されている。この場合、両者は１つの差し込み結合部１１であると理解される。ワイヤーハーネスコネクタ４はさらにその外面にスナップフック１３の形の閉鎖エレメント１２を有している。ここに図示した差し込み結合部１１では、差し込み結合部１１は、ワイヤーハーネスコネクタ４と連結コネクタ１０とが、スナップフック１３の操作によってのみ再び互いに分離できるように形成されている。
【００１９】
しかしながらロックエレメント１の導入により、スナップフック１３を下方に押し付けることが、従って差し込み結合部１１を解除することが不可能になる。何故ならば、ロックエレメント１のセグメント２″がキノコ状の構成部分１４を有しており、この構成部分が、スナップフック１３の領域に達し、スナップフック１３が下方に押されることを防止するからである。
【００２０】
このキノコ状の構成部分１４とスナップフック１３のロックはさらに、図４に拡大されて示されている。
【００２１】
ロックエレメント１の外面１６にはいわゆる溝付き管ホルダ１７（図面では詳しく示されていない）が設けられている。
【００２２】
この溝付き管ホルダ１７は、その外径が溝付き管に進入できるように寸法設定されており、これにより溝付き管と溝付き管ホルダ１７との間に形状接続的な結合が形成される。
【００２３】
本発明によるロックエレメント１の構成により、極めて簡単な形式で、差し込み結合部１１をロックすることのできるロックエレメント１が得られる。付加的に、ロックエレメント１は技術的に簡単な構成を有しており、このことは取り扱いおよび組み付けに関して極めて有利に作用する。
【図面の簡単な説明】
【００２４】
【図１】本発明によるロックエレメントを備えたワイヤーハーネスコネクタを前組み付け状態で示した斜視図である。
【図２】本発明によるロックエレメントを備えたワイヤーハーネスコネクタを前組み付け状態で示した別の斜視図である。
【図３】ワイヤーハーネスコネクタと連結コネクタの差し込み結合部および本発明によるロックエレメントの部分図である。
【図４】本発明によるロックエレメントを詳しく図示したワイヤーハーネスコネクタの断面図である。
【図５】本発明によるロックエレメントを備えたワイヤーハーネスコネクタの斜視図である。
【図１】
2006514417.tif 000003
【図２】
2006514417.tif 000004
【図３】
2006514417.tif 000005
【図４】
2006514417.tif 000006
【図５】
2006514417.tif 000007
【国際調査報告】
2006514417.tif 000008
2006514417.tif 000009
2006514417.tif 000010
2006514417.tif 000011